(57)【要約】【課題】半導体発光素子を光源として用い、外部電源からの電力供給停止後も残光を発することが可能な照明装置において、小型化を図る。【解決手段】定電流出力回路４８、容量素子Ｃ１、ＬＥＤ１２ａおよびＬＥＤ１２ｂが直列接続されてなる発光モジュール１０、容量素子Ｃ１からＬＥＤ１２ａ，１２ｂを経由する電力供給路ＰＬ１および容量素子Ｃ１からＬＥＤ１２ａを経由する電力供給路ＰＬ２の開閉を行う開閉回路４９を備え、開閉回路４９は、定電流出力回路４８から容量素子Ｃ１への電力供給がある間、電力供給路ＰＬ１を閉状態とし電力供給路ＰＬ２を開状態とする第１状態とし、定電流出力回路４８から容量素子Ｃ１への電力供給が停止されたことによる容量素子Ｃ１の電荷量減少に伴って、第１状態から電力供給路ＰＬ１を開状態とし電力供給路ＰＬ２を閉状態とする第２状態に切り替える。【選択図】図２
2015138669.tif 000002
【特許請求の範囲】
【請求項１】
電源回路と、
前記電源回路の出力端子間に接続された容量素子と、
第１および第２の半導体発光素子が直列接続されてなる発光部と、
前記容量素子と前記発光部とを結ぶ電路に設けられ、前記容量素子から前記第１および第２の半導体発光素子の両方を経由する第１の電力供給路と、前記容量素子から前記第１の半導体発光素子を経由するが前記第２の半導体発光素子を経由しない第２の電力供給路との開閉を行う開閉回路と、を備え、
前記開閉回路は、
前記電源回路から前記容量素子への電力供給がある間は、前記第１の電力供給路を閉状態とするとともに前記第２の電力供給路を開状態とする第１状態とし、
前記電源回路から前記容量素子への電力供給が停止されたことによる前記容量素子の電荷量減少に伴って、前記第１状態から前記第１の電力供給路を開状態とするとともに前記第２の電力供給路を閉状態とする第２状態に切り替える
ことを特徴とする照明装置。
【請求項２】
前記開閉回路は、
前記容量素子の電荷量減少を検出する検出部と、
前記第１の半導体発光素子と前記第２の半導体発光素子とを結ぶ接続路を開閉する開閉部と、を含み、
前記検出部における前記電荷量減少の検出に伴って、前記開閉部が前記接続路を閉状態から開状態とすることで、前記開閉回路は前記第１状態から前記第２状態に切り替える
ことを特徴とする請求項１に記載の照明装置。
【請求項３】
前記検出部は、制御端子が前記容量素子の正極側に接続され、前記容量素子の電荷量減少に伴ってオフ状態となる第１のスイッチング素子を含み、
前記開閉部は、制御端子が前記容量素子の正極側に接続されるとともに、出力側端子の一端が前記接続路に接続され、前記第１のスイッチング素子のオン状態からオフ状態への遷移に伴ってオン状態となる第２のスイッチング素子を含む
ことを特徴とする請求項２に記載の照明装置。
【請求項４】
前記容量素子の正極から前記第１のスイッチング素子の制御端子に至る電路は、終端が二手に分岐しており、
二手に分岐した終端はそれぞれ、前記第１のスイッチング素子における出力側端子の一端および第２のスイッチング素子の制御端子に接続される
ことを特徴とする請求項３に記載の照明装置。
【請求項５】
前記第１のスイッチング素子は、
コレクタが前記容量素子の正極側に接続されるとともに、エミッタがグランドに接続されたｎｐｎ型バイポーラトランジスタ、または、
ドレインが前記容量素子の正極側に接続されるとともに、ソースがグランドに接続されたｎ型電界効果トランジスタであり、
前記第２のスイッチング素子は、
コレクタが前記接続路に接続されるとともに、エミッタがグランドに接続されたｎｐｎ型バイポーラトランジスタ、または、
ドレインが前記接続路に接続されるとともに、ソースがグランドに接続されたｎ型電界効果トランジスタである
ことを特徴とする請求項３に記載の照明装置。
【請求項６】
前記開閉回路は、さらに、
一端が前記容量素子の正極に接続されるとともに、他端が前記第１のスイッチング素子の制御端子に接続された第１の抵抗素子と、
一端が前記第１の抵抗素子の他端に接続されるとともに、他端がグランドに接続された第２の抵抗素子と、
一端が前記容量素子の正極に接続されるとともに、他端が前記第１のスイッチング素子における出力側端子の一端に接続された第３の抵抗素子と、
一端が前記接続路に接続されるとともに、他端が前記第２のスイッチング素子における出力側端子の一端に接続された第４の抵抗素子と、を含む
ことを特徴とする請求項３に記載の照明装置。
【請求項７】
前記発光部は、１または直列接続された複数の前記第１の半導体発光素子と、１または直列接続された複数の前記第２の半導体発光素子とを含み、
前記第１および第２の半導体発光素子には、順方向降下電圧が同一の半導体発光素子が用いられており、
前記第１のスイッチング素子の制御端子は、前記第１の抵抗素子と前記第２の抵抗素子との接続点に接続されており、
前記第１の抵抗素子の抵抗値をｒ1、前記第２の抵抗素子の抵抗値をｒ2、前記第１および第２の半導体発光素子の総数をＮ、前記半導体発光素子の最小順方向降下電圧をＶfmin、前記第１のスイッチング素子の動作電圧ＶTR1とした場合に、
（ｒ2／ｒ1＋ｒ2）×Ｎ×Ｖfmin＞ＶTR1の関係を満たす
ことを特徴とする請求項６に記載の照明装置。
【請求項８】
前記発光部は、１または直列接続された複数の前記第１の半導体発光素子を含み、
前記第１のスイッチング素子の制御端子は、前記第１の抵抗素子と前記第２の抵抗素子との接続点に接続されており、
前記第１の抵抗素子の抵抗値をｒ1、前記第２の抵抗素子の抵抗値をｒ2、前記第１の半導体発光素子の個数をｎ、前記半導体発光素子の最大順方向降下電圧をＶfmax、前記第１のスイッチング素子の動作電圧ＶTR1とした場合に、
（ｒ2／ｒ1＋ｒ2）×ｎ×Ｖfmax＜ＶTR1の関係を満たす
ことを特徴とする請求項６に記載の照明装置。
【請求項９】
前記開閉回路は、さらに、
カソードが前記容量素子の正極に接続されるとともに、アノードが前記第１のスイッチング素子の制御端子に接続されたツェナーダイオードと、
一端が前記ツェナーダイオードのアノードに接続されるとともに、他端がグランドに接続された第１の抵抗素子と、
一端が前記容量素子の正極に接続されるとともに、他端が前記第１のスイッチング素子における出力側端子の一端に接続された第２の抵抗素子と、
一端が前記接続路に接続されるとともに、他端が前記第２のスイッチング素子における出力側端子の一端に接続された第３の抵抗素子と、を含む
ことを特徴とする請求項３に記載の照明装置。
【請求項１０】
前記開閉回路は、前記検出部が前記開閉部を兼ねたものであり、
一端が前記容量素子の正極に接続された第１の抵抗素子と、
制御端子が前記第１の抵抗素子の他端に接続されるとともに、出力側端子の一端が前記第２の半導体発光素子のカソードに接続され、かつ出力側端子の他端がグランドに接続されたスイッチング素子と、
一端が前記第１の抵抗素子の他端に接続されるとともに、他端がグランドに接続された第２の抵抗素子と、
一端が前記接続路に接続されるとともに、他端がグランドに接続された第３の抵抗素子と、を含み、
前記スイッチング素子は、前記容量素子の電荷量減少に伴ってオフ状態となり、当該スイッチング素子のオン状態からオフ状態への遷移に伴って、前記接続路を閉状態から開状態とする
ことを特徴とする請求項２に記載の照明装置。
【請求項１１】
前記発光部は、１または直列接続された複数の前記第１の半導体発光素子と、１または直列接続された複数の前記第２の半導体発光素子とを含み、
前記第１の半導体発光素子の数と前記第２の半導体発光素子の数とが異なる
ことを特徴とする請求項１に記載の照明装置。
【請求項１２】
前記発光部は、１または直列接続された複数の前記第１の半導体発光素子と、直列接続された複数の前記第２の半導体発光素子とを含み、
前記第１の半導体発光素子の数は、前記第２の半導体発光素子の数よりも少ない
ことを特徴とする請求項１に記載の照明装置。
【請求項１３】
前記第１の半導体発光素子から発せられる出射光の色温度は、前記第２の半導体発光素子から発せられる出射光の色温度と異なる
ことを特徴とする請求項１に記載の照明装置。
【請求項１４】
前記発光部は、直列接続された複数の前記第１の半導体発光素子と、１または直列接続された複数の前記第２の半導体発光素子とを含み、
前記複数の第１の半導体発光素子は、前記第２の半導体発光素子を囲繞するように環状に配列されており、
前記各第１の半導体発光素子の主出射方向は、前記各第２の半導体発光素子の主出射方向に延伸する仮想線に対して外方を向いている
ことを特徴とする請求項１に記載の照明装置。
【請求項１５】
第１および第２の半導体発光素子が直列接続されてなる発光部を光源とする照明装置の点灯回路であって、
電源回路と、
前記電源回路の出力端子間に接続された容量素子と、
前記容量素子と前記発光部とを結ぶ電路に設けられ、前記容量素子から前記第１および第２の半導体発光素子の両方を経由する第１の電力供給路と、前記容量素子から前記第１の半導体発光素子を経由するが前記第２の半導体発光素子を経由しない第２の電力供給路との開閉を行う開閉回路と、を備え、
前記開閉回路は、
前記電源回路から前記容量素子への電力供給がある間は、前記第１の電力供給路を閉状態とするとともに前記第２の電力供給路を開状態とする第１状態とし、
前記電源回路から前記容量素子への電力供給が停止されたことによる前記容量素子の電荷量減少に伴って、前記第１状態から前記第１の電力供給路を開状態とするとともに前記第２の電力供給路を閉状態とする第２状態に切り替える
ことを特徴とする点灯回路。
【発明の詳細な説明】
【技術分野】
【０００１】
本発明は、半導体発光素子を光源とする照明装置および点灯回路に関し、特に残光を提供する照明装置および点灯回路に関する。
【背景技術】
【０００２】
省エネルギーの観点から、ＬＥＤ（Ｌｉｇｈｔ  Ｅｍｉｔｔｉｎｇ  Ｄｉｏｄｅ）を光源として利用した照明装置が普及しつつある。しかし、ＬＥＤは特性上残光性が低いため、外部電源から照明装置への電力供給が停止されると、一瞬にして照明装置周囲は暗くなる。そこで、外部電源から照明装置への電力供給停止後の数秒間または数分間、残光を発することが可能な照明装置が提案されている（例えば、特許文献１）。
【０００３】
図１３は、特許文献１に係る照明装置９００の回路構成を示す図である。照明装置９００は、ＬＥＤを光源とする２つの発光モジュール９１１，９１２、定電流出力回路９２１、２つの容量素子９２２，９２４、ダイオード９２３、ツェナーダイオード９２５および抵抗９２６を含む。
照明装置９００では、外部電源から定電流出力回路９２１への電力供給がある通常点灯時は、実線の矢印で示すように、まず定電流出力回路９２１から脈流抑制用の容量素子９２２への充電が行われる。容量素子９２２への充電が完了すると、発光モジュール９１１に電力が供給され、発光モジュール９１１が点灯する。発光モジュール９１１に電力が供給される際には、実線の矢印に示すように、ダイオード９２３を介して容量素子９２４への充電も行われる。
【０００４】
一方、外部電源から定電流出力回路９２１への電力供給が停止された後は、定電流出力回路９２１から発光モジュール９１１および容量素子９２２，９２４への電力供給は行われない。しかしながら、破線の矢印で示すように、容量素子９２４に蓄積された電荷が発光モジュール９１２に流れることで、発光モジュール９１２が点灯する。このように、外部電源から定電流出力回路９２１への電力供給が停止された後も、容量素子９２４に電荷が残存している間は、この電荷を用いて発光モジュール９１２を点灯させることができる。したがって、この発光モジュール９１２の出射光を残光として利用することができる。
【先行技術文献】
【特許文献】
【０００５】
【特許文献１】特開２０１３−４９６０号公報
【発明の概要】
【発明が解決しようとする課題】
【０００６】
特許文献１に係る照明装置では、通常点灯時に用いる脈流抑制用の容量素子とは別に、残光提供時の電源として用いる容量素子をさらに設ける必要がある。容量素子は回路部品の中では比較的大型の部品であるため、可能な限り容量素子の個数を減らし、照明装置の小型化を図ることが望ましい。特に、ＬＥＤを光源とする照明装置は、白熱電球、蛍光ランプ、高圧放電ランプ等の従来の照明光源の代替品として期待されており、照明装置の小型化は既存の照明器具への適合率を高める観点で重要である。
【０００７】
本発明は、半導体発光素子を光源として用い、外部電源からの電力供給停止後も残光を発することが可能な照明装置において、小型化を図ることを目的とする。
【課題を解決するための手段】
【０００８】
本明細書に開示される照明装置は、電源回路と、前記電源回路の出力端子間に接続された容量素子と、第１および第２の半導体発光素子が直列接続されてなる発光部と、前記容量素子と前記発光部とを結ぶ電路に設けられ、前記容量素子から前記第１および第２の半導体発光素子の両方を経由する第１の電力供給路と、前記容量素子から前記第１の半導体発光素子を経由するが前記第２の半導体発光素子を経由しない第２の電力供給路との開閉を行う開閉回路と、を備え、前記開閉回路は、前記電源回路から前記容量素子への電力供給がある間は、前記第１の電力供給路を閉状態とするとともに前記第２の電力供給路を開状態とする第１状態とし、前記電源回路から前記容量素子への電力供給が停止されたことによる前記容量素子の電荷量減少に伴って、前記第１状態から前記第１の電力供給路を開状態とするとともに前記第２の電力供給路を閉状態とする第２状態に切り替える。
【発明の効果】
【０００９】
本明細書に開示される照明装置では、電源回路を介して外部電源から容量素子に電力供給があることで、容量素子の電荷量減少が生じない間は第１状態となり、第１および第２の半導体発光素子の両方に電流が流れるようになる。一方、外部電源から容量素子への電力供給が停止され、容量素子の電荷量減少が生じることで第２状態となり、第１の半導体発光素子には電流が流れるが、第２の半導体発光素子には電流が流れないようになる。この第２状態における第１の半導体発光素子の発光を残光として利用することができる。
【００１０】
直列接続されてなる複数の半導体発光素子の一部を点灯させて残光とする構成により、通常点灯時に用いる容量素子から、電源回路からの電力供給がある間に蓄電された電荷を第２状態における第２の電力供給路に放電することができる。すなわち、通常点灯時に用いる容量素子を残光提供時に用いる容量素子としても用いることができる。したがって、通常点灯時に用いる容量素子と残光提供時に用いる容量素子を共用化でき、残光提供時に用いる容量素子を別個に設ける必要がないため、その分、照明装置を小型化することが可能である。
【００１１】
以上説明したように、本明細書に開示される照明装置によれば、外部電源からの電力供給停止後も残光を発することが可能な照明装置において、小型化を図ることが可能である。
また、前記開閉回路は、前記容量素子の電荷量減少を検出する検出部と、前記第１の半導体発光素子と前記第２の半導体発光素子とを結ぶ接続路を開閉する開閉部と、を含み、前記検出部における前記電荷量減少の検出に伴って、前記開閉部が前記接続路を閉状態から開状態とすることで、前記開閉回路は前記第１状態から前記第２状態に切り替えることを特徴とする。
【００１２】
もしくは、前記検出部は、制御端子が前記容量素子の正極側に接続され、前記容量素子の電荷量減少に伴ってオフ状態となる第１のスイッチング素子を含み、前記開閉部は、制御端子が前記容量素子の正極側に接続されるとともに、出力側端子の一端が前記接続路に接続され、前記第１のスイッチング素子のオン状態からオフ状態への遷移に伴ってオン状態となる第２のスイッチング素子を含むことを特徴とする。
【００１３】
さらに、前記容量素子の正極から前記第１のスイッチング素子の制御端子に至る電路は、終端が二手に分岐しており、二手に分岐した終端はそれぞれ、前記第１のスイッチング素子における出力側端子の一端および第２のスイッチング素子の制御端子に接続されることを特徴とする。
あるいは、前記第１のスイッチング素子は、コレクタが前記容量素子の正極側に接続されるとともに、エミッタがグランドに接続されたｎｐｎ型バイポーラトランジスタ、または、ドレインが前記容量素子の正極側に接続されるとともに、ソースがグランドに接続されたｎ型電界効果トランジスタであり、前記第２のスイッチング素子は、コレクタが前記接続路に接続されるとともに、エミッタがグランドに接続されたｎｐｎ型バイポーラトランジスタ、または、ドレインが前記接続路に接続されるとともに、ソースがグランドに接続されたｎ型電界効果トランジスタであることを特徴とする。
【００１４】
また、前記開閉回路は、さらに、一端が前記容量素子の正極に接続されるとともに、他端が前記第１のスイッチング素子の制御端子に接続された第１の抵抗素子と、一端が前記第１の抵抗素子の他端に接続されるとともに、他端がグランドに接続された第２の抵抗素子と、一端が前記容量素子の正極に接続されるとともに、他端が前記第１のスイッチング素子における出力側端子の一端に接続された第３の抵抗素子と、一端が前記接続路に接続されるとともに、他端が前記第２のスイッチング素子における出力側端子の一端に接続された第４の抵抗素子と、を含むことを特徴とする。
【００１５】
もしくは、前記発光部は、１または直列接続された複数の前記第１の半導体発光素子と、１または直列接続された複数の前記第２の半導体発光素子とを含み、前記第１および第２の半導体発光素子には、順方向降下電圧が同一の半導体発光素子が用いられており、前記第１のスイッチング素子の制御端子は、前記第１の抵抗素子と前記第２の抵抗素子との接続点に接続されており、前記第１の抵抗素子の抵抗値をｒ1、前記第２の抵抗素子の抵抗値をｒ2、前記第１および第２の半導体発光素子の総数をＮ、前記半導体発光素子の最小順方向降下電圧をＶfmin、前記第１のスイッチング素子の動作電圧ＶTR1とした場合に、（ｒ2／ｒ1＋ｒ2）×Ｎ×Ｖfmin＞ＶTR1の関係を満たすことを特徴とする。
【００１６】
さらに、前記発光部は、１または直列接続された複数の前記第１の半導体発光素子を含み、前記第１のスイッチング素子の制御端子は、前記第１の抵抗素子と前記第２の抵抗素子との接続点に接続されており、前記第１の抵抗素子の抵抗値をｒ1、前記第２の抵抗素子の抵抗値をｒ2、前記第１の半導体発光素子の個数をｎ、前記半導体発光素子の最大順方向降下電圧をＶfmax、前記第１のスイッチング素子の動作電圧ＶTR1とした場合に、（ｒ2／ｒ1＋ｒ2）×ｎ×Ｖfmax＜ＶTR1の関係を満たすことを特徴とする。
【００１７】
あるいは、前記開閉回路は、さらに、カソードが前記容量素子の正極に接続されるとともに、アノードが前記第１のスイッチング素子の制御端子に接続されたツェナーダイオードと、一端が前記ツェナーダイオードのアノードに接続されるとともに、他端がグランドに接続された第１の抵抗素子と、一端が前記容量素子の正極に接続されるとともに、他端が前記第１のスイッチング素子における出力側端子の一端に接続された第２の抵抗素子と、一端が前記接続路に接続されるとともに、他端が前記第２のスイッチング素子における出力側端子の一端に接続された第３の抵抗素子と、を含むことを特徴とする。
【００１８】
また、前記開閉回路は、前記検出部が前記開閉部を兼ねたものであり、一端が前記容量素子の正極に接続された第１の抵抗素子と、制御端子が前記第１の抵抗素子の他端に接続されるとともに、出力側端子の一端が前記第２の半導体発光素子のカソードに接続され、かつ出力側端子の他端がグランドに接続されたスイッチング素子と、一端が前記第１の抵抗素子の他端に接続されるとともに、他端がグランドに接続された第２の抵抗素子と、一端が前記接続路に接続されるとともに、他端がグランドに接続された第３の抵抗素子と、を含み、前記スイッチング素子は、前記容量素子の電荷量減少に伴ってオフ状態となり、当該スイッチング素子のオン状態からオフ状態への遷移に伴って、前記接続路を閉状態から開状態とすることを特徴とする。
【００１９】
もしくは、前記発光部は、１または直列接続された複数の前記第１の半導体発光素子と、１または直列接続された複数の前記第２の半導体発光素子とを含み、前記第１の半導体発光素子の数と前記第２の半導体発光素子の数とが異なることを特徴とする。
さらに、前記発光部は、１または直列接続された複数の前記第１の半導体発光素子と、直列接続された複数の前記第２の半導体発光素子とを含み、前記第１の半導体発光素子の数は、前記第２の半導体発光素子の数よりも少ないことを特徴とする。
【００２０】
あるいは、前記第１の半導体発光素子から発せられる出射光の色温度は、前記第２の半導体発光素子から発せられる出射光の色温度と異なることを特徴とする。
また、前記発光部は、直列接続された複数の前記第１の半導体発光素子と、１または直列接続された複数の前記第２の半導体発光素子とを含み、前記複数の第１の半導体発光素子は、前記第２の半導体発光素子を囲繞するように環状に配列されており、前記各第１の半導体発光素子の主出射方向は、前記各第２の半導体発光素子の主出射方向に延伸する仮想線に対して外方を向いていることを特徴とする。
【００２１】
本明細書に開示される点灯回路は、第１および第２の半導体発光素子が直列接続されてなる発光部を光源とする照明装置の点灯回路であって、電源回路と、前記電源回路の出力端子間に接続された容量素子と、前記容量素子と前記発光部とを結ぶ電路に設けられ、前記容量素子から前記第１および第２の半導体発光素子の両方を経由する第１の電力供給路と、前記容量素子から前記第１の半導体発光素子を経由するが前記第２の半導体発光素子を経由しない第２の電力供給路との開閉を行う開閉回路と、を備え、前記開閉回路は、前記電源回路から前記容量素子への電力供給がある間は、前記第１の電力供給路を閉状態とするとともに前記第２の電力供給路を開状態とする第１状態とし、前記電源回路から前記容量素子への電力供給が停止されたことによる前記容量素子の電荷量減少に伴って、前記第１状態から前記第１の電力供給路を開状態とするとともに前記第２の電力供給路を閉状態とする第２状態に切り替えることを特徴とする。
【図面の簡単な説明】
【００２２】
【図１】第１の実施形態に係る照明装置１を示す縦断面図である。
【図２】第１の実施形態に係る照明装置１の回路構成を示す図である。
【図３】外部電源から照明装置１への電力供給がある間の開閉回路４９の動作を説明するための図である。
【図４】外部電源から照明装置１への電力供給がある間の開閉回路４９の動作を説明するための図である。
【図５】外部電源から照明装置１への電力供給停止後の開閉回路４９の動作を説明するための図である。
【図６】外部電源から照明装置１への電力供給停止後の開閉回路４９の動作を説明するための図である。
【図７】外部電源から照明装置１への電力供給停止後の開閉回路４９の動作を説明するための図である。
【図８】開閉回路４９における第１および第２の抵抗素子の抵抗値、トランジスタＴＲ１等の設計条件について説明するための図である。
【図９】第２の実施形態に係る照明装置１Ａの回路構成を示す図である。
【図１０】第３の実施形態に係る照明装置１Ｂの回路構成を示す図である。
【図１１】変形例に係る照明装置１Ｃの一部縦断面図である。
【図１２】変形例に係る発光モジュール１０１を示す平面図である。
【図１３】特許文献１に係る照明装置９００の回路構成を示す図である。
【発明を実施するための形態】
【００２３】
≪第１の実施形態≫
［照明装置１の全体構成］
図１は、第１の実施形態に係る照明装置１を示す縦断面図である。照明装置１は、白熱電球の代替品となるＬＥＤランプである。照明装置１は、発光モジュール１０、基台２０、グローブ３０、点灯回路ユニット４０、回路ホルダ５０、内筐体６０、口金７０および外筐体８０を備える。
【００２４】
［各部構成］
＜発光モジュール１０＞
発光部としての発光モジュール１０は、実装基板１１、ＬＥＤ１２および封止体１３を備える。
実装基板１１としては、例えば、樹脂基板、セラミック基板、樹脂板と金属板とからなる金属ベース基板等の既存の実装基板を利用することができる。
【００２５】
ＬＥＤ１２は、照明装置１の光源である。ＬＥＤ１２は、実装基板１１の上面にＣＯＢ（Ｃｈｉｐ  ｏｎ  Ｂｏａｒｄ）技術を用いて複数個実装されている。ＬＥＤ１２としては、例えばＧａＮ系の青色発光するＬＥＤが用いられている。
複数のＬＥＤ１２には、外部電源からの電力供給がある間の通常点灯時と、外部電源からの電力供給が停止された後の残光提供時の両方に用いられるＬＥＤと、通常点灯時のみに用いられるＬＥＤとが含まれる。以下、通常点灯時と残光提供時の両方に用いられるＬＥＤを「残光兼用ＬＥＤ」、通常点灯時のみに用いられるＬＥＤを「通常点灯用ＬＥＤ」と記載する。発光モジュール１０は、複数の残光兼用ＬＥＤと、複数の通常点灯用ＬＥＤとを含む。残光兼用ＬＥＤが第１の半導体発光素子に相当し、通常点灯用ＬＥＤが第２の半導体発光素子に相当する。なお、図１では、両者を区別せずに符号「１２」で示している。
【００２６】
封止体１３は、複数のＬＥＤ１２を一括で被覆するように、実装基板１１上に設けられている。封止体１３は、波長変換材料が混入された透光性材料で構成されている。透光性材料としては、例えばシリコーン樹脂を利用することができる。また、波長変換材料は、ＬＥＤ１２から出射された青色光を黄色光に変換するためのものであり、例えば黄色蛍光体粒子を利用することができる。
【００２７】
＜基台２０＞
基台２０は略円板状であり、上面２１の略中央に発光モジュール１０が載置されている。基台２０には、点灯回路ユニット４０の一対のリード線４４，４５を挿通させるための不図示の貫通孔が形成されている。基台２０の下面２３には、回路ホルダ５０の突起５７が差し込まれることで基台２０の回転移動を規制するための差込部２４が形成されている。
【００２８】
基台２０は、例えば、金属材料、高熱伝導性樹脂材料等の高熱伝導性材料で構成されており、基台２０は、これらの材料を例えば射出成形することによって作製されている。
＜グローブ３０＞
グローブ３０は、発光モジュール１０の主出射方向を覆う、略ドーム状の部材である。グローブ３０は、例えば、透光性を有する樹脂材料やガラスで構成されている。基台２０の外周面と外筐体８０の内周面とで形成される空間に接着剤を塗布し、その接着剤にグローブ３０の開口側端部３１を差し込むことにより、基台２０とグローブ３０と外筐体８０とが固着される。
【００２９】
グローブ３０の内面３２には、発光モジュール１０から発せられた光を拡散させるための拡散処理が施されていることとしてもよい。拡散処理としては、例えば、白色顔料等によるものや、シリカ、無定形シリカ、炭酸カルシウム、硫酸バリウム、水酸化アルミニウム、酸化チタン等をボンコート材に混合させたものを塗布する方法等がある。
＜点灯回路ユニット４０＞
点灯回路ユニット４０は、口金７０を介して受電してＬＥＤ１２を発光させるためのものであり、発光モジュール１０を光源とする照明装置１の点灯回路を含む。点灯回路ユニット４０は、主な構成として、回路基板４１、回路基板４１の一方の主面（実装面）に実装された複数の電子部品４２，４３、および回路基板４１の他方の主面（実装面とは反対側の面）に配設された不図示の配線パターン等を含む。
【００３０】
点灯回路は、主に、発光モジュール１０への電力供給を行う機能を有し、この機能は種々の電子部品４２，４３を用いた電子回路により実現される。点灯回路は、主に整流平滑を定電流出力回路、主に脈流を抑制するための容量素子等で構成される。
点灯回路ユニット４０と発光モジュール１０とは、一対のリード線４４，４５によって電気接続されている。一対のリード線４４，４５は、それぞれ基台２０の貫通孔を介して基台２０の上方に導出されるとともに、発光モジュール１０に接続されている。また、点灯回路ユニット４０と口金７０とは、別の一対のリード線４６，４７によって電気接続されている。リード線４６は、回路ホルダ５０の小径部５２に設けられた貫通孔５４を通って、口金７０のシェル部７１と接続されている。また、リード線４７は、回路ホルダ５０の小径部５２の下側開口５６を通って、口金７０のアイレット部７２と接続されている。
【００３１】
＜回路ホルダ５０＞
回路ホルダ５０は、点灯回路ユニット４０を保持するものである。回路ホルダ５０は、大径部５１と小径部５２を含み、大径部５１により点灯回路ユニット４０の大部分が覆われている。大径部５１には突起５７が形成されている。突起５７が基台２０の差込部２４に差し込まれることにより、差込部２４は突起５７と嵌合し、回路ホルダ５０と基台２０とが位置合わせされる。
【００３２】
小径部５２には、口金７０が外嵌されている。また、小径部５２の外周面５２ａには、照明装置１の組立時において、小径部５２と外筐体８０の円環部８２における凹部８５とを位置合わせするために用いる凸部５２ｂが形成されている。
回路ホルダ５０は、例えば、樹脂材料や無機材料等の電気絶縁性材料で構成されている。
【００３３】
＜内筐体６０＞
内筐体６０は、円筒状の本体部６１と、本体部６１の下端に延設された円環状の係止部６２とを含む。本体部６１は、回路ホルダ５０の大径部５１に外嵌されている。基台２０は、本体部６１の上側端部６３に内嵌される。
内筐体６０は、例えば、金属材料、高熱伝導性樹脂材料等の高熱伝導性材料で構成されており、照明装置１点灯時に発光モジュール１０から発生する熱を口金７０側に放散させる放熱部材、いわゆるヒートシンクとして機能する。
【００３４】
＜口金７０＞
口金７０は、照明装置１を点灯させる際に、照明器具のソケットから電力を受けるための部材である。口金７０は、リード線４６，４７を介して点灯回路ユニット４０と電気接続されている。口金７０は、回路ホルダ５０における小径部５２の下側開口５６を塞ぐように取着されている。口金７０の種類は、特に限定されるものではないが、本実施形態ではエジソンタイプであるＥ２６口金が使用されている。口金７０は、略円筒形状であって外周面が雄ねじとなっているシェル部７１と、シェル部７１に絶縁部７３を介して装着されたアイレット部７２とを備える。
【００３５】
＜外筐体８０＞
外筐体８０は、内筐体６０の外周面６５を覆う、電気絶縁性材料で構成された筒状部材である。外筐体８０は、内筐体６０の外周面６５を覆う筒状の外殻部８１と、外殻部８１の下端から照明装置１の中心軸方向に突出した円環部８２と、円環部８２の内周縁から口金７０方向に突出した筒状の絶縁部８３とを含む。
【００３６】
外殻部８１の内部には、内筐体６０と、回路ホルダ５０の大径部５１とが収容されている。円環部８２は、内筐体６０の係止部６２を大径部５１に押し付けることによって、内筐体６０を回路ホルダ５０に固定している。絶縁部８３は、回路ホルダ５０の小径部５２の根元部分に外嵌されており、内筐体６０の本体部６１と口金７０との間に介在することで、内筐体６０と口金７０との間の電気的絶縁を確保している。
【００３７】
［照明装置１の回路構成］
図２は、第１の実施形態に係る照明装置１の回路構成を示す図である。上述したように、照明装置１は、発光部としての発光モジュール１０と、点灯回路を含む点灯回路ユニット４０とを有する。
＜発光モジュール１０＞
発光モジュール１０は、第１の半導体発光素子に相当する複数の残光兼用ＬＥＤ１２ａを含んでなる残光兼用ＬＥＤ群１２Ａと、第２の半導体発光素子に相当する複数の通常点灯用ＬＥＤ１２ｂを含んでなる通常点灯用ＬＥＤ群１２Ｂとを有する。より具体的には、発光モジュール１０は、１個の残光兼用ＬＥＤ１２ａと複数の通常点灯用ＬＥＤとが直列接続されてなる直列接続体を２本含んでなる。
【００３８】
＜点灯回路ユニット４０＞
点灯回路ユニット４０は、電源回路としての定電流出力回路４８、定電流出力回路４８の出力端子間に接続された容量素子Ｃ１および開閉回路４９を含む。
（定電流出力回路４８、容量素子Ｃ１）
定電流出力回路４８は、整流回路等を含む。定電流出力回路４８の入力端子は、不図示の外部電源に接続されている。外部電源から定電流出力回路４８への電力供給がある間、定電流出力回路４８は外部電源から供給される交流を全波整流する。定電流出力回路４８には、不図示のインダクタ、第２の容量素子（容量素子Ｃ１とは異なる）を含み、このインダクタ、第２の容量素子および容量素子Ｃ１で平滑回路を構成している。平滑回路は、外部電源から定電流出力回路４８への電力供給がある間は、整流回路において全波整流された電流を直流電流に平滑化し、開閉回路４９に出力する。
【００３９】
このように、外部電源から定電流出力回路４８への電力供給がある間、容量素子Ｃ１は脈流抑制に用いられる。一方、外部電源から定電流出力回路４８への電力供給が停止されると、容量素子Ｃ１は、定電流出力回路４８からの電力供給がある間に蓄電された電荷を放電する。放電された電荷は、残光兼用ＬＥＤ１２ａに供給される。
（開閉回路４９）
開閉回路４９は、容量素子Ｃ１と発光モジュール１０とを結ぶ電路に設けられている。図２に示すように、開閉回路４９は、第１のスイッチング素子としてのトランジスタＴＲ１、第２のスイッチング素子としてのトランジスタＴＲ２、４つの抵抗素子Ｒ１，Ｒ２，Ｒ３，Ｒ４を含む。
【００４０】
第１の抵抗素子Ｒ１は、一端が容量素子Ｃ１の正極に接続されるとともに、他端がトランジスタＴＲ１のベースに接続されている。第２の抵抗素子Ｒ２は、一端が第１の抵抗素子Ｒ１の他端に接続されるとともに、他端がグランドおよび容量素子Ｃ１の負極に接続されている。
トランジスタＴＲ１は、ｎｐｎ型バイポーラトランジスタであり、制御端子としてのベースが容量素子Ｃ１の正極側、より詳しくは第１の抵抗素子Ｒ１と第２の抵抗素子Ｒ２との接続点に接続されている。トランジスタＴＲ１のコレクタは、容量素子Ｃ１の正極側、より詳しく第３の抵抗素子Ｒ３の他端に接続されており、エミッタはグランドに接続されている。トランジスタＴＲ１のコレクタは、第１のスイッチング素子ＴＲ１における出力側端子の一端に相当し、エミッタは、第１のスイッチング素子ＴＲ１における出力側端子の他端に相当する。
【００４１】
第３の抵抗素子Ｒ３は、一端が容量素子Ｃ１の正極に接続されるとともに、他端がトランジスタＴＲ１のコレクタに接続されている。第４の抵抗素子Ｒ４は、一端が残光兼用ＬＥＤ１２ａと通常点灯用ＬＥＤ１２ｂとを結ぶ接続路ＰＬ３に接続されるとともに、他端がトランジスタＴＲ２のコレクタに接続されている。
トランジスタＴＲ２は、ｎｐｎ型バイポーラトランジスタであり、制御端子としてのベースが容量素子Ｃ１の正極側、より詳しくは第３の抵抗素子Ｒ３の他端に接続されている。トランジスタＴＲ２のコレクタは接続路ＰＬ３、より詳しくは第４の抵抗素子Ｒ４の他端に接続されている。トランジスタＴＲ２のエミッタは、グランドに接続されている。トランジスタＴＲ２のコレクタは、第２のスイッチング素子ＴＲ２における出力側端子の一端に相当し、エミッタは、第２のスイッチング素子ＴＲ２における出力側端子の他端に相当する。
【００４２】
開閉回路４９は、第１の電力供給路ＰＬ１と第２の電力供給路ＰＬ２の開閉を行うものである。第１の電力供給路ＰＬ１とは、容量素子Ｃ１から残光兼用ＬＥＤ１２ａ，通常点灯用ＬＥＤ１２ｂの両方を経由する電力供給路をいう。一方、第２の電力供給路ＰＬ２とは、容量素子Ｃ１から残光兼用ＬＥＤ１２ａを経由するが通常点灯用ＬＥＤ１２ｂを経由しない電力供給路をいう。
【００４３】
開閉回路４９は、おおまかには次のように動作する。定電流出力回路４８から容量素子Ｃ１への電力供給がある間は、第１の電力供給路ＰＬ１を閉状態とするとともに第２の電力供給路ＰＬ２を開状態とする第１状態とする。一方、定電流出力回路４８から容量素子Ｃ１への電力供給が停止されたことによる容量素子Ｃ１の電荷量減少に伴って、第１状態から第１の電力供給路ＰＬ１を開状態とするとともに第２の電力供給路ＰＬ２を閉状態とする第２状態に切り替える。
【００４４】
開閉回路４９は、定電流出力回路４８から容量素子Ｃ１への電力供給が停止されたことによる、容量素子Ｃ１の電荷量減少を検出する検出部と、残光兼用ＬＥＤ１２ａと通常点灯用ＬＥＤ１２ｂとを結ぶ接続路ＰＬ３を開閉する開閉部とで構成される。検出部における容量素子Ｃ１の電荷量減少の検出に伴って、開閉部が接続路ＰＬ３を閉状態から開状態とすることで、開閉回路４９は第１状態から第２状態に切り替える。
【００４５】
検出部は、主にトランジスタＴＲ１を含んでなり、トランジスタＴＲ１により検出部としての機能が発揮される。また、開閉部は、主にトランジスタＴＲ２を含んでなり、トランジスタＴＲ２により開閉部としての機能が発揮される。
［開閉回路４９の動作］
図２から図７を参照しながら、開閉回路４９の動作について説明する。
【００４６】
＜外部電源からの電力供給がある間＞
図３および図４は、外部電源から照明装置１への電力供給がある間の開閉回路４９の動作を説明するための図である。
外部電源から照明装置１へ電力供給が開始されると、まず図３において実線の矢印で示すように、定電流出力回路４８は出力を開始し、容量素子Ｃ１が充電される。容量素子Ｃ１が充電されると、残光兼用ＬＥＤ１２ａ，通常点灯用ＬＥＤ１２ｂへ電力が供給される。定電流出力回路４８から容量素子Ｃ１への電力供給がある間は、開閉回路４９は、第１の電力供給路ＰＬ１を閉状態、第２の電力供給路ＰＬ２を開状態とし、残光兼用ＬＥＤ１２ａ，通常点灯用ＬＥＤ１２ｂの両方に電流を流す。
【００４７】
残光兼用ＬＥＤ１２ａ，通常点灯用ＬＥＤ１２ｂへの電力供給とともに、第１の抵抗素子Ｒ１を介してトランジスタＴＲ１のベースにも電流が流れる。これによりトランジスタＴＲ１のベース−エミッタ間電圧ＶBE1はハイレベルとなり、図４に示すようにトランジスタＴＲ１はオン状態となる。なお、トランジスタＴＲ１がオン状態である間は、トランジスタＴＲ１のコレクタ−エミッタ間が導通状態であるため、トランジスタＴＲ２はオフ状態である。
【００４８】
＜外部電源からの電力供給停止後＞
図５〜図７は、外部電源から照明装置１への電力供給停止後の開閉回路４９の動作を説明するための図である。
図５において破線の矢印で示すように、外部電源から照明装置１へ電力供給停止後においても、容量素子Ｃ１は定電流出力回路４８からの電力供給がある間に蓄電された電荷を放電する。しかしながら、定電流出力回路４８から容量素子Ｃ１への電力供給は停止されるため、容量素子Ｃ１の電荷量は減少し、トランジスタＴＲ１のベースに流れる電流も減少する。そのため、トランジスタＴＲ１のベース−エミッタ間電圧ＶBE1はローレベルとなり、図５に示すようにトランジスタＴＲ１はオフ状態となる。トランジスタＴＲ１のベースが容量素子Ｃ１の正極側に接続されていることで、トランジスタＴＲ１は容量素子Ｃ１の電荷量減少を検出し、容量素子Ｃ１の電荷量減少に伴ってオフ状態となる。
【００４９】
一方、図２および図６に示すように、容量素子Ｃ１の正極から第３の抵抗素子Ｒ３を介してトランジスタＴＲ１のベースに至る電路は、終端が二手に分岐している。そして、この二手に分岐した終端は、それぞれトランジスタＴＲ１のコレクタおよびトランジスタＴＲ２のベースに接続されている。そのため、トランジスタＴＲ１がオフ状態となり、トランジスタＴＲ１のコレクタ−エミッタ間が非導通になると、トランジスタＴＲ２のベースの方に電流が流れるようになる。これによりトランジスタＴＲ２のベース−エミッタ間電圧ＶBE2はハイレベルとなり、図７に示すようにトランジスタＴＲ２はオン状態となる。このような回路構成により、トランジスタＴＲ２は、トランジスタＴＲ１のオン状態からオフ状態への遷移に伴ってオン状態となる。
【００５０】
定電流出力回路４８から容量素子Ｃ１への電力供給が停止されたことによる容量素子Ｃ１の電荷量減少に伴って、トランジスタＴＲ２がオン状態となる。トランジスタＴＲ２のコレクタ−エミッタ間が導通状態となることで、トランジスタＴＲ２は、残光兼用ＬＥＤ１２ａと通常点灯用ＬＥＤ１２ｂとを結ぶ接続路ＰＬ３を閉状態から開状態とする。トランジスタＴＲ２のこのような動作により、開閉回路４９は第１の電力供給路ＰＬ１を開状態とするとともに第２の電力供給路ＰＬ２を閉状態とする。
【００５１】
このように、トランジスタＴＲ１における容量素子Ｃ１の電荷量減少の検出に伴って、トランジスタＴＲ２が接続路ＰＬ３を閉状態から開状態とすることで、開閉回路４９は第１の電力供給路ＰＬ１を開状態とするとともに第２の電力供給路ＰＬ２を閉状態とする。このような開閉状態となる結果、残光兼用ＬＥＤ１２ａには電流が流れるが、通常点灯用ＬＥＤ１２ｂには電流が流れない状態となる。また、残光兼用ＬＥＤ１２ａへの電力供給は、定電流出力回路４８からの電力供給がある間に蓄電された容量素子Ｃ１の電荷を、第２状態における第２の電力供給路ＰＬ２に放電することで行われる。
【００５２】
［開閉回路４９の設計条件］
図８は、開閉回路４９における第１および第２の抵抗素子の抵抗値、トランジスタＴＲ１等の設計条件について説明するための図である。
一般的に、ＬＥＤの順方向降下電圧は、ＬＥＤの温度上昇により低下する。したがって、ＬＥＤの点灯によりＬＥＤの順方向降下電圧が低下したとしても、発光モジュール１０全体としての順方向降下電圧がトランジスタＴＲ１の動作電圧を下回らないようにする必要がある。したがって、図８において式１で示しているように、（ｒ2／ｒ1＋ｒ2）×Ｎ×Ｖfmin＞ＶTR1の関係を満たすようにする必要がある。式１において、第１の抵抗素子Ｒ１の抵抗値をｒ1、第２の抵抗素子Ｒ２の抵抗値をｒ2としている。また、残光兼用ＬＥＤ１２ａ，通常点灯用ＬＥＤ１２ｂの総数をＮ、残光兼用ＬＥＤ１２ａおよび通常点灯用ＬＥＤ１２ｂの最小順方向降下電圧をＶfmin、トランジスタＴＲ１の動作電圧ＶTR1としている。
【００５３】
なお、式１は、残光兼用ＬＥＤ１２ａおよび通常点灯用ＬＥＤ１２ｂには、仕様が同一のＬＥＤが用いられていることで順方向降下電圧が同一であると仮定した場合の関係式である。残光兼用ＬＥＤ１２ａおよび通常点灯用ＬＥＤ１２ｂに異なる仕様のＬＥＤが使われていることで順方向降下電圧が同一でない場合は、これらのうち順方向降下電圧が最小であるＬＥＤの順方向降下電圧をＶfminとすることが望ましい。
【００５４】
さらに、外部電源からの電力供給停止後の残光提供時には、トランジスタＴＲ１がオン状態とならないようにする、すなわちトランジスタＴＲ２のオン状態を保つようにする必要がある。そのためには、残光提供時における発光モジュール１０全体としての順方向降下電圧が、トランジスタＴＲ１の動作電圧を上回らないようにする必要がある。したがって、図８において式２で示しているように、（ｒ2／ｒ1＋ｒ2）×ｎ×Ｖfmax＜ＶTR1の関係を満たすようにする必要がある。式２において、残光兼用ＬＥＤ１２ａの個数をｎ、ＬＥＤの最大順方向降下電圧をＶfmaxとしている。
【００５５】
［第１の実施形態のまとめ］
以上説明したように、本発明の一態様である第１の実施形態に係る照明装置は、以下の特徴を有する。つまり、照明装置１は、定電流出力回路４８、容量素子Ｃ１、発光モジュール１０および開閉回路４９を備える。
定電流出力回路４８は、電源回路である。容量素子Ｃ１は、定電流出力回路４８の出力端子間に接続されている。発光モジュール１０は発光部であり、第１の半導体発光素子としての残光兼用ＬＥＤ１２ａおよび第２の半導体発光素子としての通常点灯用ＬＥＤ１２ｂが直列接続されてなる。
【００５６】
開閉回路４９は、容量素子Ｃ１と発光モジュール１０とを結ぶ電路に設けられ、第１の電力供給路ＰＬ１および第２の電力供給路ＰＬ２の開閉を行う。第１の電力供給路ＰＬ１は、容量素子Ｃ１から残光兼用ＬＥＤ１２ａおよび通常点灯用ＬＥＤ１２ｂの両方を経由する電力供給路である。第２の電力供給路ＰＬ２は、容量素子Ｃ１から残光兼用ＬＥＤ１２ａを経由するが通常点灯用ＬＥＤ１２ｂを経由しない電力供給路である。開閉回路４９は、電源回路から容量素子Ｃ１への電力供給がある間は、第１の電力供給路ＰＬ１を閉状態とするとともに第２の電力供給路ＰＬ２を開状態とする第１状態とする。一方、電源回路から容量素子Ｃ１への電力供給が停止されたことによる容量素子Ｃ１の電荷量減少に伴って、第１状態から第１の電力供給路ＰＬ１を開状態とするとともに第２の電力供給路ＰＬ２を閉状態とする第２状態に切り替える。
【００５７】
本実施形態に係る照明装置では、残光兼用ＬＥＤ１２ａと通常点灯用ＬＥＤ１２ｂとが直列接続されてなる直列接続体における残光兼用ＬＥＤ１２ａのみを点灯させ、この残光兼用ＬＥＤ１２ａの出射光を残光として利用している。すなわち、通常点灯時の放電経路を直列接続体の途中で遮断し、遮断された場所よりも上流側にあるＬＥＤのみを点灯させている。このような構成により、特許文献１のように、互いに並列接続された複数の直列接続体の一部の直列接続体を点灯させて残光とする構成とは異なり、一部の直列接続体を点灯させるために用いる容量素子を必要としない。すなわち、残光提供時に用いる容量素子を別個に設ける必要がない。したがって、回路部品の中では比較的大型の部品である容量素子の数を削減することができるため、照明装置の小型化を図ることができる。
【００５８】
さらに、特許文献１のように、ＬＥＤの直列接続体を複数本、互いに並列接続する構成では、直列接続体同士で順電圧−順電流特性等の特性を可能な限り揃える必要がある。そのため、通常点灯時と残光提供時の両方に用いる直列接続体に含まれるＬＥＤの数は、通常点灯時に用いる直列接続体との関係で、ある程度制限される。しかしながら、本実施形態では、直列接続された複数のＬＥＤのうちの一部を点灯させて残光として用いる構成であるため、通常点灯時と残光提供時の両方に用いる残光兼用ＬＥＤ１２ａの個数を比較的自由に決定することができる。これにより、残光時間および残光量に自由度を持たせることができる。
【００５９】
［その他］
残光兼用ＬＥＤ１２ａおよび通常点灯用ＬＥＤ１２ｂの出射光の色温度は、特に限定されない。残光兼用ＬＥＤ１２ａと通常点灯用ＬＥＤ１２ｂとで出射光の色温度を同一とすることとしてもよいし、異ならせることとしてもよい。例えば、照明装置１を寝室に設置する場合は、残光兼用ＬＥＤ１２ａの出射光の色温度を、通常点灯用ＬＥＤ１２ｂの出射光の色温度よりも低くすることとしてもよい。具体的には、例えば、残光兼用ＬＥＤ１２ａの発光色を電球色とし、通常点灯用ＬＥＤ１２ｂの発光色を昼光色とすることとしてもよい。
【００６０】
出射光の色温度を異ならせる場合は、残光兼用ＬＥＤ１２ａか通常点灯用ＬＥＤ１２ｂのいずれか一方の個数を、他方の個数よりも大幅に増やすことが望ましい。このようにすることで、残光兼用ＬＥＤ１２ａと通常点灯用ＬＥＤ１２ｂとで出射光の色温度を異ならせることとしても、配光特性への影響を低減することができる。なお、通常点灯時の光量よりも残光量の方を小さくする場合が一般的であるため、残光兼用ＬＥＤ１２ａの数を通常点灯用ＬＥＤ１２ｂの数よりも少なくする方がより望ましい。
【００６１】
また、残光兼用ＬＥＤ１２ａの個数は比較的自由に設定することができると述べたが、残光兼用ＬＥＤ１２ａの数および通常点灯用ＬＥＤ１２ｂの数は特に限定されるものではない。残光兼用ＬＥＤ１２ａの数と通常点灯用ＬＥＤ１２ｂの数を同一とすることとしてもよいし、異ならせることとしてもよい。また、残光量を通常点灯時の光量よりも少なくする場合が多いため、残光兼用ＬＥＤ１２ａの数を通常点灯用ＬＥＤ１２ｂの数よりも少なくするのが望ましいと述べたが、用途に応じて残光兼用ＬＥＤ１２ａの方を多くする構成とすることとしてもよい。
【００６２】
≪第２の実施形態≫
図９は、第２の実施形態に係る照明装置１Ａの回路構成を示す図である。照明装置１Ａは、発光モジュール１０、点灯回路ユニット４０Ａを有する。第１の実施形態に係る照明装置１との違いは、点灯回路ユニット４０Ａにおける開閉回路４９Ａの構成である。すなわち、第１の実施形態に係る開閉回路４９の第１の抵抗素子Ｒ１をツェナーダイオードＺＤ１に置換したものである。
【００６３】
開閉回路４９Ａの動作は第１の実施形態と同様である。第１の実施形態に係る第１の抵抗素子Ｒ１の一端、第１の抵抗素子Ｒ１の他端をそれぞれ、開閉回路４９ＡにおけるツェナーダイオードＺＤ１のカソード、ツェナーダイオードＺＤ１のアノードと読み替えることで説明することができる。
本実施形態に係る開閉回路４９Ａの回路要素間の接続関係を簡単に説明すると、以下の通りである。ツェナーダイオードＺＤ１のカソードは容量素子Ｃ１の正極に接続され、アノードはトランジスタＴＲ１の制御端子に接続されている。第１の抵抗素子Ｒ１は、一端がツェナーダイオードＺＤ１のアノードに接続され、他端がグランドに接続されている。第２の抵抗素子Ｒ２は、一端が容量素子Ｃ１の正極に接続され、他端がトランジスタＴＲ１のコレクタに接続されている。第３の抵抗素子Ｒ３は、一端が接続路ＰＬ３に接続され、他端がトランジスタＴＲ２のコレクタに接続されている。
【００６４】
≪第３の実施形態≫
第１の実施形態に係る照明装置１では、開閉回路４９における検出部と開閉部が、それぞれ別個のトランジスタにより構成されていることとしたが、これに限定されない。
［回路構成］
図１０は、第３の実施形態に係る照明装置１Ｂの回路構成を示す図である。照明装置１Ｂは、発光モジュール１０、点灯回路ユニット４０Ｂを有する。第１の実施形態に係る照明装置１との違いは、点灯回路ユニット４０Ｂにおける開閉回路４９Ｂの構成である。開閉回路４９Ｂは、第１の抵抗素子Ｒ１、第２の抵抗素子Ｒ２、第３の抵抗素子Ｒ３およびトランジスタＴＲ３を含む。
【００６５】
第１の抵抗素子Ｒ１は、一端が容量素子Ｃ１の正極に接続され、他端が第２の抵抗素子Ｒ２およびトランジスタＴＲ３のベースに接続されている。第２の抵抗素子Ｒ２は、一端が第１の抵抗素子Ｒ１の他端に接続され、他端がグランドに接続されている。第３の抵抗素子Ｒ３は、一端が残光兼用ＬＥＤ１２ａと通常点灯用ＬＥＤ１２ｂとを結ぶ接続路ＰＬ３に接続され、他端がグランドに接続されている。
【００６６】
トランジスタＴＲ３はｎｐｎ型バイポーラトランジスタであり、ベースは第１の抵抗素子Ｒ１の他端、より詳しくは第１の抵抗素子Ｒ１と第２の抵抗素子Ｒ２との接続点に接続されている。トランジスタＴＲ３のコレクタは、通常点灯用ＬＥＤ１２ｂのカソードに接続されており、エミッタは、グランドに接続されている。トランジスタＴＲ３のコレクタおよびエミッタは、スイッチング素子における出力側端子の一端および他端に相当する。
【００６７】
［動作］
外部電源から照明装置１Ｂへ電力供給が開始されると、まず定電流出力回路４８から容量素子Ｃ１への充電が行われる。容量素子Ｃ１が充電されると、容量素子Ｃ１の正極から第１の抵抗素子Ｒ１を介してトランジスタＴＲ３のベースに電流が流れ、トランジスタＴＲ３のベース−エミッタ間電圧はハイレベルとなる。これにより、トランジスタＴＲ３はオン状態となり、トランジスタＴＲ３のコレクタ−エミッタ間が導通する。この結果、第１の電力供給路ＰＬ１が閉状態、第２の電力供給路ＰＬ２が開状態となり、容量素子Ｃ１から残光兼用ＬＥＤ１２ａ，通常点灯用ＬＥＤ１２ｂへ電力が供給される。
【００６８】
外部電源から照明装置１Ｂへ電力供給停止後は、定電流出力回路４８から容量素子Ｃ１への電力供給は停止され、容量素子Ｃ１の電荷量は減少する。これ伴ってトランジスタＴＲ３のベースに流れる電流は減少し、トランジスタＴＲ３のベース−エミッタ間電圧がローレベルとなることでトランジスタＴＲ３はオフ状態となる。トランジスタＴＲ３のコレクタ−エミッタ間が非導通状態となることで、接続路ＰＬ３は閉状態から開状態となる。この結果、第１の電力供給路ＰＬ１は開状態、第２の電力供給路ＰＬ２は閉状態となり、残光兼用ＬＥＤ１２ａには電流が流れるが、通常点灯用ＬＥＤ１２ｂには電流が流れない状態となる。
【００６９】
本実施形態に係る開閉回路４９Ｂは、検出部が開閉部を兼ねたものとなっており、トランジスタＴＲ３が検出部と開閉部の両方の機能を果たす。すなわち、トランジスタＴＲ３は、容量素子Ｃ１の電荷量減少に伴ってオフ状態となる。そして、トランジスタＴＲ３のオン状態からオフ状態への遷移に伴って、トランジスタＴＲ３は、接続路ＰＬ３を閉状態から開状態とする。
【００７０】
［変形例・その他］
第１〜第３の実施形態について説明したが、本発明はこれに限られない。例えば、以下のような変形例等が考えられる。
（１）上記の実施形態等では、開閉回路を構成するトランジスタＴＲ１，ＴＲ２，ＴＲ３としてバイポーラトランジスタを用いる例について説明した。バイポーラトランジスタの例としては、例えば、絶縁ゲート型バイポーラトランジスタ（Ｉｎｓｕｌａｔｅｄ  Ｇａｔｅ  Ｂｉｐｏｌａｒ  Ｔｒａｎｓｉｓｔｏｒ，ＩＧＢＴ）、静電誘導型トランジスタ（Ｓｔａｔｉｃ  Ｉｎｄｕｃｔｉｏｎ  Ｔｒａｎｓｉｓｔｏｒ，ＳＩＴ）、ゲート注入トランジスタ（Ｇａｔｅ  Ｉｎｊｅｃｔｉｏｎ  Ｔｒａｎｓｉｓｔｏｒ，ＧＩＴ）等が挙げられる。
【００７１】
なお、トランジスタＴＲ１，ＴＲ２，ＴＲ３として絶縁ゲート型バイポーラトランジスタを用いる場合には、実施形態における説明の「ベース」を「ゲート」と読み替える必要がある。
（２）上記の実施形態等では、開閉回路を構成するトランジスタＴＲ１，ＴＲ２，ＴＲ３としてｎｐｎ型バイポーラトランジスタを用いる例を説明したが、ｎ型電界効果トランジスタを用いることも可能である。ｎ型電界効果トランジスタを用いる場合の開閉回路の動作は、実施形態における「ベース」，「エミッタ」，「コレクタ」をそれぞれ「ゲート」，「ソース」，「ドレイン」と読み替えることにより、同様に説明することが可能である。
【００７２】
電界効果トランジスタの例としては、例えば、金属−絶縁体−半導体電界効果トランジスタ（Ｍｅｔａｌ−Ｉｎｓｕｌａｔｏｒ−Ｓｅｍｉｃｏｎｄｕｃｔｏｒ  Ｆｉｅｌｄ  Ｅｆｆｅｃｔ  Ｔｒａｎｓｉｓｔｏｒ，）、金属−半導体電界効果トランジスタ（Ｍｅｔａｌ−Ｓｅｍｉｃｏｎｄｕｃｔｏｒ  Ｆｉｅｌｄ  Ｅｆｆｅｃｔ  Ｔｒａｎｓｉｓｔｏｒ，ＭＥＳＦＥＴ）、接合型電界効果トランジスタ（Ｊｕｎｃｔｉｏｎ  Ｆｉｅｌｄ  Ｅｆｆｅｃｔ  Ｔｒａｎｓｉｓｔｏｒ，ＪＦＥＴ）等がある。なお、ＭＩＳＦＥＴのうち、ゲート絶縁膜として酸化物を採用したＭＩＳＦＥＴは、金属−酸化物−半導体電界効果トランジスタ（Ｍｅｔａｌ−Ｏｘｉｄｅ−Ｓｅｍｉｃｏｎｄｕｃｔｏｒ  Ｆｉｅｌｄ  Ｅｆｆｅｃｔ  Ｔｒａｎｓｉｓｔｏｒ，ＭＯＳＦＥＴ）とも呼ばれる。
【００７３】
（３）上記の実施形態等では、発光部としての発光モジュールは、残光兼用ＬＥＤ１２ａと通常点灯用ＬＥＤとが直列接続されてなる直列接続体を２本含んでなるものであったが、これに限定されない。直列接続体の本数は１本でも３本以上でもよく、少なくとも１本あればよい。
（４）上記の実施形態等では、外部電源からの電力供給停止後の残光兼用ＬＥＤの出射光を残光として利用する例について説明したが、これに限定されない。残光兼用ＬＥＤの出射光を、例えば停電後も明かりを提供する非常灯、常夜灯、間接光等として利用することとしてもよい。
【００７４】
（５）本発明の一態様を適用することが可能な白熱電球代替のＬＥＤランプの構成は、第１の実施形態で示したものに限定されない。例えば、第１の実施形態では、点灯回路ユニット４０が、回路ホルダ５０、内筐体６０および外筐体８０により３重に覆われていることとしたが、点灯回路ユニット４０を２重に覆うような構成であってもよい。
さらに、外部電源からの電力供給停止後の残光兼用ＬＥＤの出射光を常夜灯や間接光等として利用する場合には、例えば、以下のような構成であってもよい。図１１は、変形例に係る照明装置１Ｃの一部縦断面図である。また、図１２は、変形例に係る発光モジュール１０１を示す平面図である。
【００７５】
図１１および図１２に示すように、発光部としての発光モジュール１０１は、基台１０６に載置された２つのサブ発光モジュール１０１ａ、１０１ｂを含む。サブ発光モジュール１０１ａは、実装基板１０２、実装基板１０２上に実装された複数の残光兼用ＬＥＤ１２ａ、残光兼用ＬＥＤ１２ａを被覆する封止体１０４を備える。サブ発光モジュール１０１ｂは、実装基板１０３、実装基板１０３上に実装された複数の通常点灯用ＬＥＤ１２ｂ、通常点灯用ＬＥＤ１２ｂを被覆する封止体１０５を備える。複数の残光兼用ＬＥＤ１２ａは直列接続されており、複数の通常点灯用ＬＥＤ１２ｂも直列接続されている。また、複数の残光兼用ＬＥＤ１２ａと複数の通常点灯用ＬＥＤ１２ｂ同士も直列接続されている。
【００７６】
図１２に示すように、平面視においてサブ発光モジュール１０１ａは、サブ発光モジュール１０１ｂを囲繞するような環状である。このような構成により、複数の残光兼用ＬＥＤ１２ａは、通常点灯用ＬＥＤ１２ｂを囲繞するように環状に配列されている。また、基台１０６は、傾斜部１０６ａと上面部１０６ｂを有する。そして、サブ発光モジュール１０１ａは基台１０６の傾斜部１０６ａに載置されており、サブ発光モジュール１０１ｂは基台１０６の上面部１０６ｂに載置されている。これにより、図１２に示すように、各残光兼用ＬＥＤ１２ａの主出射方向が、通常点灯用ＬＥＤ１２ｂの主出射方向に延伸する仮想線Ｊに対して外方を向く。
【００７７】
本変形例によれば、通常点灯時には主出射方向の光量を増やし、常夜灯や間接照明等としての利用時には穏やかな光を提供することができる。なお、図１１および図１２に示す残光兼用ＬＥＤ１２ａ、通常点灯用ＬＥＤ１２ｂの個数は単なる一例である。例えば、通常点灯用ＬＥＤ１２ｂについては、光量の多いＬＥＤを用いる場合は１個でもよい。
（６）本発明の一態様を適用することが可能な照明装置は、白熱電球代替のＬＥＤランプに限定されず、様々の型の照明装置に適用することが可能である。
【００７８】
（７）上記の実施形態等では、半導体発光素子としてＬＥＤを例示したが、本発明はこれに限定されない。ＬＥＤの他には、例えば、ＬＤ（レーザダイオード）や、ＥＬ素子（エレクトリックルミネッセンス素子）等を用いることとしてもよい。また、これらの光源を組み合わせて使用することとしてもよい。
（８）上記の実施形態等では、半導体発光素子が実装基板の上面にＣＯＢ技術を用いて実装されたものであることとしたが、本発明はこれに限定されない。例えば、ＳＭＤ（Ｓｕｒｆａｃｅ  Ｍｏｕｎｔ  Ｄｅｖｉｃｅ）型のものを用いて実装されたものであってもよい。
【００７９】
（９）上記の実施形態等では、半導体発光素子として青色ＬＥＤを用いるとともに、波長変換材料として黄色蛍光体粒子を用いることで白色光を得ることとしたが、本発明はこれに限定されない。波長変換材料は、緑色蛍光体粒子と赤色蛍光体粒子との組み合わせであってもよい。また、ＬＥＤの発光色を紫外線光とし、波長変換材料として、赤色蛍光体粒子、緑色蛍光体粒子および青色蛍光体粒子の３種類を用いることとしてもよい。さらに、赤色発光、緑色発光、青色発光の３種類のＬＥＤを用いて、混色させて白色光としてもよい。加えて、発光色は白色に限定されるものでなく、その他の光色であってもよい。
【００８０】
（１０）上記の実施形態等で使用している、材料、数値等は好ましい例を例示しているだけであり、この形態に限定されることはない。また、本発明の技術的思想の範囲を逸脱しない範囲で、適宜変更は可能である。また、他の実施形態との組み合わせは、矛盾が生じない範囲で可能である。さらに、各図は模式図であり、必ずしも厳密に図示されたものではなく、各図面における部材の縮尺は実際のものとは異なる。なお、数値範囲を示す際に用いる符号「〜」は、その両端の数値を含む。
【符号の説明】
【００８１】
１、１Ａ、１Ｂ、１Ｃ  照明装置
１０、１０１  発光モジュール
１０１ａ、１０１ｂ  サブ発光モジュール
１１、１０２、１０３  実装基板
１２  ＬＥＤ
１２ａ  通常点灯用ＬＥＤ
１２Ａ  通常点灯用ＬＥＤ群
１２ｂ  残光兼用ＬＥＤ
１２Ｂ  残光兼用ＬＥＤ群
１３、１０４、１０５  封止体
２０、１０６  基台
２４  差込部
３０  グローブ
３１  開口側端部
４０、４０Ａ、４０Ｂ  点灯回路ユニット
４１  回路基板
４２、４３  電子部品
４４、４５  リード線
４６、４７  リード線
４８  定電流出力回路
４９、４９Ａ、４９Ｂ  開閉回路
５０  回路ホルダ
６０  内筐体
７０  口金
８０  外筐体
ＰＬ１  第１の電力供給路
ＰＬ２  第２の電力供給路
ＰＬ３  接続路
Ｒ１、Ｒ２、Ｒ３、Ｒ４  抵抗素子
Ｃ１  容量素子
ＴＲ１、ＴＲ２、ＴＲ３  トランジスタ
ＺＤ１  ツェナーダイオード
９００  照明装置
９１１  発光モジュール
９１２  発光モジュール
９２１  定電流出力回路
９２２  容量素子
９２３  ダイオード
９２４  容量素子
９２５  ツェナーダイオード
９２６  抵抗
【図１】
2015138669.tif 000003
【図２】
2015138669.tif 000004
【図３】
2015138669.tif 000005
【図４】
2015138669.tif 000006
【図５】
2015138669.tif 000007
【図６】
2015138669.tif 000008
【図７】
2015138669.tif 000009
【図８】
2015138669.tif 000010
【図９】
2015138669.tif 000011
【図１０】
2015138669.tif 000012
【図１１】
2015138669.tif 000013
【図１２】
2015138669.tif 000014
【図１３】
2015138669.tif 000015